(57)【要約】【課題】抗菌性成分を含む部材の近傍における、菌の滞留時間を延長し、かつ菌濃度を上昇させて、殺菌を効率的に行う。【解決手段】水除菌装置２１０は流入部１０１と流出部１０３を具備する貯水部１０２に設置された水除菌ユニット２００によって構成され、水除菌ユニット２００は、一対の導電性メッシュ３１、３２と、これの間に電界を形成するために電圧を加える電源５と、該電界中に配置された殺菌性部材２と、を具備している。水中で負電荷を帯びている菌は、正電圧の流入側の導電性メッシュ３１に吸引されて、殺菌性部材２の隙間に流入するものの、負電圧の流出側の導電性メッシュ３２には反発されて、殺菌性部材２の隙間から流出し難いため、殺菌性部材２の隙間に閉じこめられる。よって、菌の殺菌性部材２の隙間における滞留時間が長くなり、その濃度が高くなるから、殺菌効果が増加する。【選択図】図２
2008043889.tif 000002
【特許請求の範囲】
【請求項１】
殺菌性成分を含む非導電性の殺菌性部材と、
水中に電界を形成するための導電性の電界形成部材と、を有する水除菌装置。
【請求項２】
水の流入部と流出部とを具備する貯水部に、一体に形成された前記殺菌性部材と前記電界形成部材とが、着脱自在に設置されていることを特徴とする請求項１記載の水除菌装置。
【請求項３】
前記殺菌性部材が、銀イオン、銅イオン、亜鉛イオン、の何れか１以上を含有する有機材料からなり、
前記の電界形成部材が通水自在なメッシュ状に形成された、銅、スズ、ニッケル、コバルト、鉄、亜鉛、マンガン、の何れか１以上を含有する金属または非金属からなることを特徴とする請求項１または２記載の水除菌装置。
【請求項４】
前記殺菌性部材が通水自在な板状に形成されて水流に直交するように配置され、かつ、前記電界形成部が通水自在な板状に形成されて水流に直交するように配置されることを特徴とする請求項１乃至３の何れかに記載の水除菌装置。
【請求項５】
前記殺菌性部材が一対の前記電界形成部材によって挟まれるように配置され、一対の前記電界形成部材に電圧を印加する電源が接続され、水中において電界が形成されることを特徴とする請求項１乃至４の何れかに記載の水除菌装置。
【請求項６】
流水中において、一対の前記電界形成部材のうち上流側に配置された電界形成部材が正に帯電または接地され、一対の前記電界形成部材のうち下流側に配置された電界形成部材が負に帯電することを特徴とする請求項５に記載の水除菌装置。
【請求項７】
前記電界形成部材に、光照射によって正または負に帯電する素材がコーティングされ、該素材に光が照射されることを特徴とする請求項１乃至６の何れかに記載の水除菌装置。
【請求項８】
前記電界形成部材が、１０Ω／シート以上の抵抗率を有する非金属材料に、光照射によって起電力を生じる半導体がコーティングされたものであって、前記半導体に光が照射されることを特徴とする請求項１乃至６の何れかに記載の水除菌装置。
【請求項９】
前記電界形成部材が結晶性の炭素を含む材料からなり、水中において、前記電界形成部材の表面のｐＨが、５から９の間となることを特徴とする請求項１乃至８の何れかに記載の水除菌装置。
【請求項１０】
前記電界形成部材または前記殺菌性部材の一方または両方の表面に、過酸化水素を分解可能な触媒が添着されていることを特徴とする請求項１乃至９の何れかに記載の水除菌装置。
【請求項１１】
前記殺菌性部材が容積Ｖの範囲に収納され、該容積Ｖを通過する水量が単位分当たりＱであるとき、容積Ｖの通過水量Ｑに対する比率（Ｑ／Ｖ）が、０．３６以下であることを特徴とする請求項１乃至１０の何れかに記載の水除菌装置。
【請求項１２】
水を貯蔵する水タンクと、
吸水性かつ通気性を有する気化加湿エレメントと、
該気化加湿エレメントに向けて送風するファンと、
前記水タンクと前記気化加湿エレメントとを連通する貯水部と、
該貯水部に設置された請求項１乃至１１の何れかに記載の水除菌装置と、
を有する気化加湿機。
【請求項１３】
表面を露点温度以下にして空気中の水分を結露させる凝縮用熱交換器と、
該凝縮用熱交換器の下方に配置された請求項１乃至１１の何れかに記載の水除菌装置と、
該水除菌装置の下方に配置された貯水タンクと、
を有する除湿器。
【請求項１４】
手挿入部に向けて空気を噴出する空気噴出手段と、
前記手挿入部の下部に配置された請求項１乃至１１の何れかに記載の水除菌装置と、
該水除菌装置の下方に配置された貯水タンクと、
を有するハンドドライヤー。
【発明の詳細な説明】
【技術分野】
【０００１】
この発明は水除菌装置、特に、流水経路に配置することによって水中に存在する微生物を効率よく殺菌する水除菌装置に関する。
【背景技術】
【０００２】
従来、銀イオン、銅イオン、亜鉛イオンなどの金属イオンや、有機系の抗菌剤（抗菌性アルミノケイ酸塩）を多孔質材料に添着し、さらにこれをプラスチックのペレットなどに混合させた抗菌性の材料が開発されている（例えば、特許文献１参照）。
また、通水性と導電性とを有する活性炭等に、電圧を加えることにより水中の微生物を捕集する装置が開発されている（例えば、特許文献２参照）。
【０００３】
【特許文献１】特許第２５１９９７３号公報（第２−３頁、第１図）
【特許文献２】特開平１−９９６８４号公報（第２頁、第１図）
【発明の開示】
【発明が解決しようとする課題】
【０００４】
しかしながら、特許文献１に開示された発明は、抗菌性成分が容易に水中に溶出するため、水流負荷が多い場合、流水とともに抗菌性成分が流出し、徐々に抗菌性が消失するという問題があった。また、これを避けるために抗菌性成分の溶出速度が低くなるように加工した抗菌材を用いた場合、水中に十分な殺菌剤濃度が溶出し得なかったり、抗菌材と菌との接触時間が少なくなったりするため、抗菌性が低下するという問題があった。特に、菌を含む水の流量が多い場合にかかる問題が顕在化していた。
さらに、特許文献２に開示された発明は、電極表面に電界によって誘引した菌を殺菌するものであるが、電極表面に菌以外の水中のイオン種が付着したり、さらにスケールなどが生成したりして、殺菌効果が低下するという問題があった。
【０００５】
本発明は、上記の問題を解決するためになされたもので、抗菌性成分を含む部材の近傍における、菌の滞留時間を延長し、かつ菌濃度を上昇させて、殺菌を効率的に行うことを目的とする。
【課題を解決するための手段】
【０００６】
この発明に係る水除菌装置は、殺菌性成分を含む非導電性の殺菌性部材と、
水中に電界を形成するための導電性の電界形成部材と、を有するものである。
【発明の効果】
【０００７】
この発明の水除菌装置は、電界形成部材を有するため、水中において負電荷を帯びている菌が、正荷電を有する電界形成部材に誘引され、負荷電を有する電界形成部材に反発する性質を利用して、菌を電界形成部材の近傍（殺菌性部材の近傍に同じ）に滞留する時間を長くしたり、滞留している菌の濃度を高めたりすることができる。よって、水中の菌が殺菌性部材に接触する確率が向上するから、殺菌を効率的に行うことができる。
【発明を実施するための最良の形態】
【０００８】
［実施の形態１］
（水除菌装置）
図１は本発明の実施の形態１に係る水除菌装置を模式的に示す構成図である。図１において、水除菌ユニット１００は、上面が開口した箱体１と、箱体１内に収納された殺菌性部材２と、箱体１の上面を覆う導電性メッシュ３と、導電性メッシュ３の略中央部から上方に突設された仕切り板４と、を具備している。そして、水除菌ユニット１００は、貯水部１０２内に載置されている。貯水部１０２には、流入部１０１と流出部１０３が設置されている。
したがって、水は、流入部１０１から一旦、貯水部１０２の上流側に流入した後、仕切り板４に遮られ、導電性メッシュ３の隙間を通過して箱体１内に流入する。そして、殺菌性部材２の隙間を通過し、再度、導電性メッシュ３の隙間を通過して貯水部１０２の下流側に流出し、さらに、流出部１０３から排出される。
なお、水除菌ユニット１００と、流入部１０１と、貯水部１０２と、流出部１０３とを具備する装置を水除菌装置１１０と称す。
【０００９】
（殺菌効果）
導電性メッシュ３は水中に電界を形成するための導電性を有しているから、水中で、表面の金属の一部が陽イオンとなって溶解する。すなわち、導電性メッシュ３自身は負の電荷を帯び、導電性メッシュ３の周辺に電界が形成される。一方、水中の菌は負電荷を帯びているから、導電性メッシュ３と反発することになる。
そうすると、流入する水流に伴って（水圧に押されて）箱体１内に、一旦入り込んだ菌は、前記電界に反発するため、導電性メッシュ３の隙間を通過し難くなる。すなわち、箱体１を経由する水流が形成されるものの、水中の菌は、箱体１内に閉じこめられ、滞留しやすくなる。そして、箱体１には殺菌性部材２が収納されているから、菌は、箱体１に滞留している期間、殺菌性部材２から溶出する殺菌性成分あるいは殺菌性部材２の表面に担持されている殺菌性成分と接触し、殺菌される。
【００１０】
なお、流水が停止した場合、すなわち、貯水部１０２に水が貯まった状態では、菌を箱体１内に閉じこめる効果がなくなるものの、殺菌性部材２に含まれる殺菌性成分が水溶性であれば、該殺菌性成分が導電性メッシュ３の隙間を経由して貯水部１０２内に拡散するから、殺菌が可能である。
以上のように、本発明の水除菌ユニット１００は、単に殺菌材を水中に浸漬するのではなく、電界によって殺菌性部材２の近傍に、菌を長時間に渡って滞留せしめることによって、殺菌効果を増加させることができる。
【００１１】
（殺菌性成分）
殺菌性部材２に含まれる殺菌性成分としては、銀イオン、銅イオン、亜鉛イオン、ニッケルイオン、などが用いられる。これらのイオンは、殺菌性が高い金属イオンとして知られているものであって、シリカアルミナ、リン酸ジルコニウム、などのイオン交換能を有する多孔質な担体、あるいは、シクロデキストリンやキレート剤に保持されることによって、イオン徐放速度が制御されていることが望ましいものである。また、これらのイオンは、スルホン酸基やイオン交換が可能な官能基を有する高分子、に保持されても良い。
さらに、殺菌性成分として、４級アンモニウム塩のようなイオン性界面活性剤、ヨウ素や臭素を含みかつ界面活性能をもつ有機物、イミダゾール塩、チアベンダゾール、などの、いわゆる有機系殺菌剤を担持したものを用いても良い。そして、これらの殺菌性成分が、ポリビニルアルコール、ポリプロピレン、ポリアクリル樹脂、などの熱可塑性樹脂に混練され、粒状や板状に成形されたものでもよい。
【００１２】
（電界形成部材）
導電性メッシュ３を形成する、電界を形成するための導電性部材としては、標準電極電位が０ボルト付近以下である金属、すなわち、銅、亜鉛、モリブデン、ニッケル、コバルト、鉄、亜鉛、マンガンなどが用いられる。あるいは、これらの金属を含むメッキなどのコーティングを施した材料でもよい。または、非金属の導電性部材、すなわち、カーボン、インジウムをドープしたスズ酸化物、カーボンや金属粒子を練りこんだ導電性樹脂などを用いてもよい。
【００１３】
[実施の形態２]
（水除菌装置）
図２は本発明の実施の形態２に係る水除菌装置を模式的に示す構成図である。図２において、水除菌ユニット２００は、一対の導電性メッシュ３１、３２と、導電性メッシュ３１、３２に挟まれて配置された殺菌性部材２と、一対の導電性メッシュ３１、３２間に電界を形成するために電圧を加えることのできる電源５（一対の導電性メッシュ３１、３２に電気的に接続されている）と、を具備している。そして、水除菌ユニット２００は貯水部１０２に、これを仕切るように設置されている。
すなわち、流入部１０１から流入した水は、流入側の導電性メッシュ３１の隙間、殺菌性部材２同士の隙間、流出側の導電性メッシュ３２の隙間、をそれぞれ通過して、流出部１０３から排出される。
なお、水除菌ユニット２００と、流入部１０１と、貯水部１０２と、流出部１０３とを具備する装置を水除菌装置２１０と称す。
【００１４】
（殺菌効果）
このとき、一対の導電性メッシュ３１、３２は互いに平行であって、貯水部１０２を流れる水の流れに垂直に配置され、一対の導電性メッシュ３１、３２によって形成される電界は、前記水の流れと平行な方向に形成され、流入側の導電性メッシュ３１が正電圧または接地され、流出側の導電性メッシュ３２が負電圧となることが望ましい。
すなわち、水中の菌は負電荷を帯びているから、菌は、正電圧の流入側の導電性メッシュ３１に吸引されて、殺菌性部材２の隙間に流入するものの、負電圧の流出側の導電性メッシュ３２には反発されて、殺菌性部材２の隙間から流出し難いため、殺菌性部材２の隙間に閉じこめられることになる。よって、菌の殺菌性部材２の隙間に滞留する時間が長くなるとともに、菌の殺菌性部材２の隙間における濃度が高くなるから、殺菌効果が増加することになる。
【００１５】
また、図示しない電気回路によって、定期的に転極する機構を設けてもよい。
そして、一対の導電性メッシュ３１、３２間に加える電圧は、これを構成する材料が溶解せず、また、水の電気分解による水素発生が起こらないような電圧に制御されていることが望ましい。すなわち、電極（一対の導電性メッシュ３１、３２に同じ）の表面で水の電気分解がおこると、電極近傍のｐＨが変化するので、例えば、ｐＨ７付近の水道水を殺菌する場合には、電気分解を防止して一対の導電性メッシュ３１、３２の表面のｐＨが５〜９の中性域に維持されていることが望ましい。
【００１６】
図１０および図１１は、水の流速と一過性殺菌効率との関係、および電極表面のｐＨとスケール生成による電極劣化の関係、を示す相関図である。
図１０は、銀・亜鉛イオン担持ゼオライトを樹脂に混練した直径約３ｍｍのペレットを、０．１ｇ／ｃｃのかさ密度となるように充填した厚さ５ｍｍの水除菌ユニット１００を用いた場合であって、縦軸は一過性除菌効率（単位％であって、（１−（出口の菌濃度／入口の菌濃度））×１００により算出される）、横軸は単位「分」当たりの通過空間速度である。すなわち、殺菌性部材２を通過する水の面流速が遅いほど、抗菌剤と菌との接触確率が増えるため、殺菌性能を高くすることができ、図１０より、通過空間速度約０．３６（／分）以下であれば、一過性除菌効率が９０％以上となることがわかる。
図１１は、縦軸がスケール生成による電極劣化率（ｐＨが７の場合に対する相対値）、横軸は電極表面のｐＨである。すなわち、ｐＨが９を超すと急激に電極劣化率が高くなっている。
【００１７】
[実施の形態３]
（水除菌装置）
図３は本発明の実施の形態３に係る水除菌装置を模式的に示す構成図である。図３において、水除菌ユニット３００は、一対の導電性メッシュ３１、３３と、導電性メッシュ３１、３３に挟まれて配置された殺菌性部材２と、一対の導電性メッシュ３１、３２に電気的に連結された抵抗６と、導電性メッシュ３３に光を照射する光源７と、を具備している。そして、水除菌ユニット３００は貯水部１０２に、これを仕切るように設置されている。
すなわち、流入部１０１から流入した水は、流入側の導電性メッシュ３１の隙間、殺菌性部材２同士の隙間、流出側の導電性メッシュ３３の隙間、をそれぞれ通過して、流出部１０３から排出される。
なお、水除菌ユニット３００と、流入部１０１と、貯水部１０２と、流出部１０３とを具備する装置を水除菌装置３１０と称す。
【００１８】
（殺菌効果）
このとき、流出側の導電性メッシュ３３には、光照射によって表面が正または負に帯電する素材（たとえば、光照射下で起電力が生じる半導体）がコーティングされている。したがって、流出側の導電性メッシュ３３（たとえば、光半導体性メッシュに同じ）に光が照射されると、かかる半導体がｎ型の場合には導電性メッシュ３３は正に帯電し、反対に、流入側の導電性メッシュ３１には電子が移動して、負に帯電する。
そうすると、実施の形態２における水除菌ユニット２００と同じ理由により、菌の殺菌性部材２の隙間に滞留する時間が長くなるとともに、菌の殺菌性部材２の隙間における濃度が高くなるから、殺菌効果が増加することになる。
【００１９】
（光半導体）
導電性メッシュ３３にコーティングされる光半導体としては、シリコン、シリコンカーバイド、酸化チタン、酸化亜鉛、酸化銅などが用いられる。
光源７としては、導電性メッシュ３３にコーティングされる光半導体が吸収可能な波長を発生するものを用い、蛍光灯、ＬＥＤ、有機ＥＬ、水銀ランプ、キセノンランプなどが用いられる。なお、導電性メッシュ３３に光が照射される限り、水除菌ユニット３００は光源７を具備しないものであってもよい。貯水部１０２に太陽光が侵入している場合や貯水部１０２に別目的の光源が設置されている場合には、その光を利用してもよい。
【００２０】
[実施の形態４]
（水除菌装置）
図４は本発明の実施の形態４に係る水除菌装置を模式的に示す構成図である。図４において、水除菌ユニット４００は、流出側の配置される導電性メッシュ３２と、導電性メッシュ３２に対峙して配置された電界形成部材３４と、導電性メッシュ３２と電界形成部材３４とに挟まれて配置された殺菌性部材２と、導電性メッシュ３２と電界形成部材３４とを接続する抵抗６と、電界形成部材３４に光を照射する光源７と、を具備している。
そして、水除菌ユニット４００は貯水部１０２の底部に設置されている。すなわち、流入部１０１から流入した水は、殺菌性部材２同士の隙間に直接流入する。そして、電界形成部材３４と平行に流れながら上昇し、流出側の導電性メッシュ３２と垂直な角度で、その隙間を通過して貯水部１０２に流出し、流出部１０３から排出される。
なお、水除菌ユニット４００と、流入部１０１と、貯水部１０２と、流出部１０３とを具備する装置を水除菌装置４１０と称す。
【００２１】
（殺菌効果）
電界形成部材３４は、光半導体と透明導電体と透明基材とが積層されたものであって、該光半導体には光源７によって光が照射されるものである（前記「透明」とは、光源７から照射された光が通過することを意味している）。
したがって、光源７が照射した光は前記光半導体に到達するから、実施の形態３における水除菌ユニット３００と同様に、菌の殺菌性部材２の隙間に滞留する時間が長くなるとともに、菌の殺菌性部材２の隙間における濃度が高くなるから、殺菌効果が増加することになる。
なお、透明導電体として、インジウムドープ酸化スズ、透明基材としてガラス板を用いることができる。また、光源７として４００ｎｍ以下の波長を発生するＬＥＤ光源を用いることができる。また、前記材料は限定するものではなく、同様の構成を形成しておれば、いずれの材料であってもよい。
【００２２】
殺菌性部材２や導電性メッシュ３２の表面に、過酸化水素を分解しうる触媒を添着し、導電性メッシュ３２（負の電圧を加える電極に同じ）にカーボンを含む材料を用いた場合、導電性メッシュ３２の表面で水中の酸素分子が電気的に還元されることになる。このとき、過酸化水素が発生するから、かかる過酸化水素が触媒上で分解する際に生成する「ＯＨラジカル」によって殺菌が促進されたり、あるいは、かかる過酸化水素が分解して生成する「酸素の泡」によって殺菌性部材２表面に付着した汚れが除去されたりする。
【００２３】
[実施の形態５]
（気化式加湿機）
図５は本発明の実施の形態５に係る気化式加湿機を模式的に示す構成図である。図５において、気化式加湿機５００には水除菌ユニット２００が搭載されている。すなわち、気化式加湿機５００の加湿機本体５１の内部に水タンク５２が設置され、水は、水タンク５２から流入部５３を経由して貯水部５４に供給され、水除菌ユニット２００を通過した後、気化加湿エレメント５５（吸水性かつ通気性を有する）に吸収される。気化加湿エレメント５５に、図示しないファンから送風される風を接触させることによって、気化加湿エレメント５５が吸水・保持していた水を蒸発せしめ、周辺空気を加湿することができる。
【００２４】
そうすると、水中に菌が存在している場合、気化加湿エレメント５５に菌が堆積・繁殖し、衛生性が低下するとともに、臭気が発生する問題が想定されるが、本発明の気化式加湿機５００では、水除菌ユニット２００の前記殺菌効果によって、かかる問題の発生が抑止されている。
なお、以上は、水除菌ユニット２００を搭載した気化式加湿機５００について例示しているが、水除菌ユニット２００に替えて水除菌ユニット１００、３００、４００、８００（後記する）の何れも搭載しても同様の効果が得られるものである。このとき、流出部１０３の設置を省略してもよい。
【００２５】
[実施の形態６]
（除湿機）
図６は本発明の実施の形態６に係る除湿機を模式的に示す構成図である。図６において、除湿機６００には水除菌ユニット２００が搭載されている。すなわち、除湿機６００は、除湿器本体６１の内部に設置された凝縮用熱交換器６２と、凝縮用熱交換器６２の下方に設置された水除菌ユニット２００と、水除菌ユニット２００の下方に設置された貯水タンク６３と、を具備している。
凝縮用熱交換器６２は、図示しないコンプレッサまたは吸湿剤と組み合わせた除湿機構であって、凝縮用熱交換器６２の表面を露点温度以下にして、該表面に空気中の水分を結露させるものである。したがって、かかる結露した水は、水除菌ユニット２００を通過して、貯水タンク６３に貯蔵されることになる。
【００２６】
このとき、結露した水は、原理的には純水が得られるものの、実際には、空気中の菌などが凝縮用熱交換器６２の表面に付着し、結露した水に菌が含まれることがあるものの、水除菌ユニット２００において除菌されるため、貯水タンク６３に菌が侵入することが防止される。よって、貯水タンク６３に貯蔵された水を衛生的に維持することができる。
なお、以上は、水除菌ユニット２００を搭載した除湿機６００について例示しているが、水除菌ユニット２００に替えて水除菌ユニット１００、３００、４００、８００（後記する）の何れも搭載しても同様の効果が得られるものである。このとき、流入部１０１や流出部１０３の設置を省略してもよい。
【００２７】
[実施の形態７]
（ハンドドライヤー）
図７は本発明の実施の形態７に係るハンドドライヤーを模式的に示す構成図である。図７において、ハンドドライヤー７００のハンドドライヤー本体７１の内部には水除菌ユニット２００が搭載されている。すなわち、ハンドドライヤー７００は、空気取り入れ口７２から空気を取り込み、送風ブロア７３で加圧して、吹出しノズル７４から手挿入部７５に向けて空気を勢いよく噴出するものである。
したがって、手挿入部７５に手指をかざせば、かかる噴出した空気によって手指に付着していた水が吹き飛ばされる。このとき、手挿入部７５は、吹き飛ばされた水が人に再付着しないよう配慮して、周囲に飛散させない空力設計が為されているから、吹き飛ばされた水は手挿入部７５の内壁を伝わって、下方の排水パイプ７６に流れ込み、水除菌ユニット２００を経由して貯水タンク７７に貯蔵される。
【００２８】
よって、手指に付着していた菌が、水除菌ユニット２００において除菌されるから、貯水タンク７７に菌が侵入することが防止され、貯水タンク６３に貯蔵された水を衛生的に維持することができる。
なお、以上は、水除菌ユニット２００を搭載したハンドドライヤー７００について例示しているが、水除菌ユニット２００に替えて水除菌ユニット１００、３００、４００、８００（後記する）の何れも搭載しても同様の効果が得られるものである。このとき、流入部１０１や流出部１０３の設置を省略してもよい。
【００２９】
以上、実施の形態５〜７において気化式加湿器５００、除湿機６００、ハンドドライヤー７００を例示しているが、本発明はこれに限定するものではなく、水中の菌に由来する問題が存在する機器であれば、いずれの機器であっても、本発明の水除菌ユニット１００、２００、３００、４００、８００（後記する）の何れをも搭載することができる。たとえば、加湿機能付き空気清浄機、洗濯機、食器洗浄機、給湯機、浄水器、便器、手洗い機、などが挙げられる。
【００３０】
[実施の形態８]
（水除菌装置）
図８は本発明の実施の形態８に係る水除菌装置を模式的に示す構成図である。図８において、水除菌ユニット８００は、底付き円筒状に形成された導電性メッシュ３５と、導電性メッシュ３５の中心軸の位置に配置された棒状の導電性部材３６と、導電性メッシュ３５内に収納された殺菌性部材２と、導電性メッシュ３５と導電性部材３６との間に電界を形成するために電圧を加えることのできる電源５（導電性メッシュ３５と導電性部材３６とに電気的に接続されている）と、を具備している。そして、水除菌ユニット８００は円筒状の貯水部８０２に設置されている。
【００３１】
このとき、導電性メッシュ３５の底３５ａは流入部８０１側に配置され、導電性メッシュ３５の開口側の縁部３５ｂは流出部８０３に当接または接合されている。したがって、流入部８０１から流入した水は、導電性メッシュ３５の円筒状の側面から、その隙間を通過して内部に流入し、殺菌性部材２同士の隙間を通過して、流出部１０３から排出される。
なお、水除菌ユニット８００と、流入部８０１と、貯水部８０２と、流出部８０３とを具備する装置を水除菌装置８１０と称す。すなわち、水除菌装置８１０は、貯水部８０２と導電性メッシュ３５とが二重円筒状に配置されているから、小型かつ意匠性に優れ、水道管に直結したり、ポンプで加圧した流水経路に配置したり、また、水除菌ユニット８００自体を多段に連結したりすることが容易である。
【００３２】
（殺菌効果）
このとき、円筒状の導電性メッシュ３５が正電圧または接地され、その中心軸に位置する棒状の導電性部材３６が負電圧となっているから、半径方向の電界が形成されている。そして、円筒状の導電性メッシュ３５を通過した水は、中心軸に向かうと共に、中心軸と平行に流れるから、負電荷を帯びた菌は、負電圧の導電性部材３６に反発されて、殺菌性部材２の隙間に閉じこめられることになる。よって、菌の殺菌性部材２の隙間に滞留する時間が長くなるとともに、菌の殺菌性部材２の隙間における濃度が高くなるから、殺菌効果が増加することになる。
【００３３】
また、水除菌装置８００では、円筒状の導電性メッシュ３５が正電圧または接地され、その中心軸に位置する棒状の導電性部材３６が負電圧となっているが、本発明はこれに限定するものではなく、円筒状の導電性メッシュ３５が負電圧で、その中心軸に位置する棒状の導電性部材３６が正負電圧または設置されていてもよい。このとき、水は流出部８０３から流入し、殺菌性部材２の隙間を通過した後、円筒状の導電性メッシュ３５の隙間を通過して貯水部８０２に流出し、流入部８０１から排出されることになる。すなわち、負電荷を帯びた菌は、円筒状の導電性メッシュ３５（負電圧）に反発して、内部に閉じ込められることになる。
【００３４】
[実施の形態９]
（並進着脱式）
図９は本発明の実施の形態９に係る水除菌装置を模式的に示す構成図であって、（ａ）は水除菌ユニットの並進着脱式、（ｂ）は水除菌ユニットの回転着脱式である。
図９の（ａ）において、水除菌装置１１０ａは、流入部１０１と、ユニット設置部１０４と、貯水部１０２と、図示しない流出部と、ユニット設置部１０４に着脱自在に設置された水除菌ユニット１００ａと、を具備している。
【００３５】
水除菌ユニット１００ａは、両端面が開口したユニット筒体９と、ユニット筒体９の開口した両端面にそれぞれ設置された導電性メッシュ３１、３２と、導電性メッシュ３１、３２に挟まれるようにユニット筒体９に収納された殺菌性部材２と、ユニット筒体９の外周を包囲するパッキン９３、９４と、を具備している。
そして、ユニット筒体９には導電性メッシュ３１に電気的に接続され、外方に突出した雄コネクタ９１ｍと、導電性メッシュ３２に電気的に接続され、外方に突出した雄コネクタ９２ｍとが設置されている。一方、ユニット設置部１０４には、雄コネクタ９１ｍに電気的に接続自在な雌コネクタ９１ｆと、雄コネクタ９２ｍに電気的に接続自在な雌コネクタ９２ｆとが設置されいる。
【００３６】
したがって、貯水部１０２およびユニット設置部１０４に水がない状態で、設置してあった水除菌ユニット１００ａを貯水部１０２側に引き上げ、新しい水除菌ユニット１００ａを貯水部１０２側から、ユニット設置部１０４に挿入するだけで、水除菌ユニット１００ａを容易に交換することができる。
このとき、雄コネクタ９１ｍ、９２ｍはそれぞれ雌コネクタ９１ｆ、９２ｆに電気的に接続され、ユニット筒体９とユニット設置部１０４との隙間はパッキン９３、９４によって塞がれる。よって、通水中に、電気的な接続部に水がかかることなく、流水は全てユニット筒体９を通過するから、水除菌ユニット１００ａは水除菌ユニット１００（実施の形態１参照）と同様の殺菌効果を奏する。
【００３７】
（回転着脱式）
図９の（ｂ）において、水除菌装置８１０ａは、一対の回転板８１１、８１３と、一対の回転板８１１、８１３を連結する回転軸８１２と、回転軸８１２を回転駆動する図示しない回転軸回転手段と、一対の回転板８１１、８１３に挟まれた状態で、着脱自在に設置された水除菌ユニット８００ａと、を具備している。
【００３８】
水除菌ユニット８００ａは、水除菌ユニット８００（実施の形態８参照）の流入部８０１の流入側端部と流出部８０３の流出側端部とに、それぞれ貯水部８０２の外径より僅かに大きい外径の流入側フランジ８０４と流出側フランジ８０５を固定したものである。
一方、回転板８１１、８１３には、それぞれ流入側フランジ８０４および流出側フランジ８０５が通過自在な着脱用孔８１４、８１５が形成されている。
したがって、水除菌ユニット８００ａは、着脱用孔８１４、８１５の一方から回転板８１１、８１３の間に挿入することができる。そして、流入側フランジ８０４の外面と回転板８１１の外面とが、および流出側フランジ８０５の外面と回転板８１３の外面とが、それぞれ同一面になった状態で図示しない取付手段によって、水除菌ユニット８００ａは回転板８１１、８１３に取付られる。
【００３９】
また、水路９００は分断され、水路入口９０１と水路出口９０３との間に水除菌装置８１０ａが設置されている。このとき、水路入口９０１の下流側端部は回転板８１１（流入側フランジ８０４に同じ）の外面に摺動自在に当接し、水路出口９０３の上流側端部は回転板８１３（流出側フランジ８０５に同じ）の外面に摺動自在に当接している。
したがって、水除菌ユニット８００ａが回転板８１１、８１３に取付られた状態で、回転板８１１、８１３を回転すれば、水除菌ユニット８００ａを水路入口９０１と水路出口９０３とに連通する位置に配置することができる。同様に、回転板８１１、８１３を回転するだけで、水路入口９０１と水路出口９０３とに連通していた水除菌ユニット８００ａを、着脱自在な位置に移動することができる。
このとき、前記当接部は、水密的に維持されているから、周囲に水が漏れることがなく、極めて容易に水除菌ユニット８００ａを交換することができる。
【図面の簡単な説明】
【００４０】
【図１】本発明の実施の形態１に係る水除菌装置を模式的に示す構成図。
【図２】本発明の実施の形態２に係る水除菌装置を模式的に示す構成図。
【図３】本発明の実施の形態３に係る水除菌装置を模式的に示す構成図。
【図４】本発明の実施の形態４に係る水除菌装置を模式的に示す構成図。
【図５】本発明の実施の形態５に係る気化式加湿機を模式的に示す構成図。
【図６】本発明の実施の形態６に係る除湿機を模式的に示す構成図。
【図７】本発明の実施の形態７に係るハンドドライヤーを模式的に示す構成図。
【図８】本発明の実施の形態８に係る水除菌装置を模式的に示す構成図。
【図９】本発明の実施の形態９に係る水除菌装置を模式的に示す構成図。
【図１０】水の流速と一過性殺菌効率との関係を示す相関図。
【図１１】電極表面のｐＨとスケール生成による電極劣化の関係を示す相関図。
【符号の説明】
【００４１】
１：箱体、２：形態、２：殺菌性部材、３：導電性メッシュ、４：仕切り板、５：電源、６：抵抗、７：光源、９：ユニット筒体、３１：導電性メッシュ（流入側）、３２：導電性メッシュ（流出側）、３３：導電性メッシュ（光半導体コーティング）、３４：電界形成部材（光半導体積層）、３５：導電性メッシュ（円筒状）、３６：導電性部材（棒状）、５１：加湿機本体、５２：水タンク、５３：流入部、５４：貯水部、５５：気化加湿エレメント、６２：凝縮用熱交換器、６３：貯水タンク、７１：ハンドドライヤー本体、７２：空気取り入れ口、７３：送風ブロア、７４：吹出しノズル、７５：手挿入部、７６：排水パイプ、７７：貯水タンク、９１ｆ：雌コネクタ、９１ｍ：雄コネクタ、９２ｆ：雌コネクタ、９２ｍ：雄コネクタ、９３：パッキン、９４：パッキン、１００：水除菌ユニット、１００ａ：水除菌ユニット、１０１：流入部、１０２：貯水部、１０３：流出部、１０４：ユニット設置部、１１０、水除菌装置、２００：水除菌ユニット、２１０：水除菌装置、３００：水除菌ユニット、３１０：水除菌装置、４００：水除菌ユニット、４１０：水除菌装置、５００：気化式加湿機、６００：除湿機、７００：ハンドドライヤー、８００：水除菌ユニット、８００：水除菌装置、８０１：流入部、８０２：貯水部、８０３：流出部、８０４：流入側フランジ、８０５：流出側フランジ、８１０：水除菌装置、８１１：回転板、８１２：回転軸、８１３：回転板、８１４：着脱用孔、８１５：着脱用孔、９００：水路、９０１：水路入口、９０３：水路出口。
【図１】
2008043889.tif 000003
【図２】
2008043889.tif 000004
【図３】
2008043889.tif 000005
【図４】
2008043889.tif 000006
【図５】
2008043889.tif 000007
【図６】
2008043889.tif 000008
【図７】
2008043889.tif 000009
【図８】
2008043889.tif 000010
【図９】
2008043889.tif 000011
【図１０】
2008043889.tif 000012
【図１１】
2008043889.tif 000013